(57)【要約】【課題】電極端子間の接続作業、及び、直列接続の端部の電極端子の接続作業を容易にする。【解決手段】配線モジュール２０の絶縁カバー４７は、極間接続部材２１を覆う第１閉鎖位置と極間接続部材２１を露出させる第１開放位置との間を変位可能な第１カバー部４８と、第１カバー部４８に接続され、第１カバー部４８を第１閉鎖位置として、端部接続部材２３を覆う第２閉鎖位置と端部接続部材２３を露出させる第２開放位置との間を回動可能な第２カバー部５７と、を備え、第１カバー部４８は係合部５５を備えるとともに、第２カバー部５７は、係合部５５に係合して第１カバー部４８に対する第２カバー部５７の位置を保持する被係合部６１を備えている。【選択図】図５
2015153618.tif 000002
【特許請求の範囲】
【請求項１】
正極及び負極の電極端子を有する蓄電素子を複数個並べてなる蓄電素子群に取り付けられる配線モジュールであって、
隣り合う前記蓄電素子の前記電極端子間を電気的に接続する極間接続部材と、
直列接続の端部に位置する前記電極端子に接続される端部接続部材と、
前記極間接続部材及び前記端部接続部材を収容する絶縁プロテクタと、
前記絶縁プロテクタを覆う絶縁カバーと、を備え、
前記絶縁カバーは、
前記極間接続部材を覆う第１閉鎖位置と前記極間接続部材を露出させる第１開放位置との間を変位可能な第１カバー部と、
前記第１カバー部に接続され、前記第１カバー部を前記第１閉鎖位置として、前記端部接続部材を覆う第２閉鎖位置と前記端部接続部材を露出させる第２開放位置との間を回動可能な第２カバー部と、を備え、
前記第１カバー部は、係合部を備えるとともに、前記第２カバー部は、前記係合部に係合して前記第１カバー部に対する前記第２カバー部の位置を保持する被係合部を備えている配線モジュール。
【請求項２】
前記絶縁プロテクタと前記第１カバー部とを接続する撓み変形可能な撓み部を備える請求項１に記載の配線モジュール。
【請求項３】
前記端部接続部材は、前記電極端子に接続される電極接続部と外部と接続される外部接続部とを備え、
前記絶縁カバーは、前記外部接続部を外部と絶縁する絶縁壁を備え、
前記絶縁壁に前記係合部が形成されており、
前記被係合部は、前記係合部に当接して弾性変形する弾性部を備え、
前記第２カバー部は、前記被係合部が前記係合部に当接した際に前記絶縁壁を前記被係合部とは反対側から押さえる押さえ部を備えている請求項１又は請求項２に記載の配線モジュール。
【請求項４】
前記第２カバー部は、前記第１カバー部の先端側に接続されている請求項１ないし請求項３のいずれか一項に記載の配線モジュール。
【請求項５】
前記蓄電素子群と、
前記蓄電素子群に取り付けられる請求項１ないし請求項４のいずれか一項に記載の配線モジュールと、を備える蓄電モジュール。
【発明の詳細な説明】
【技術分野】
【０００１】
本発明は、配線モジュール及び蓄電モジュールに関する。
【背景技術】
【０００２】
電気自動車やハイブリッド自動車等の車両に搭載される蓄電モジュールは、一般に、正負の電極を有する多数の蓄電素子の電極間を接続部材を介して直列に接続することにより構成されている。また、電極や接続部材を外部と絶縁するためにバッテリカバーが取付けられる。
【０００３】
特許文献１のバッテリカバーは、ブスバーが埋設されてバッテリの端部を覆うケースに取り付けられ、カバー本体と開閉カバーとがヒンジを介して連結されている。開閉カバーは、カバー本体の長手方向に沿った両端に連結されており、カバー本体がケースに取り付けられると、開閉カバーは、端に位置する二つの小型バッテリの電極を覆う閉鎖位置と、電極を露出させる開放位置とに変位自在となっている。また、ケースには突起が設けられ、閉鎖位置では、開閉カバーの爪部がケースの突起に係止する。
【先行技術文献】
【特許文献】
【０００４】
【特許文献１】特開２００１−３３２２３５号公報
【発明の概要】
【発明が解決しようとする課題】
【０００５】
ところで、特許文献１の構成では、開閉カバーの爪部がケースの突起に係止することで開閉カバーを閉鎖位置に保つことができるが、開閉カバーを開放位置に保つことができないため、開閉カバーを開けて端に位置する電極の接続作業を行う際に作業性が低下することが懸念される。
【０００６】
本発明は上記のような事情に基づいて完成されたものであって、直列接続の端部の電極端子の接続作業を容易にすることを目的とする。
【課題を解決するための手段】
【０００７】
本明細書によって開示される配線モジュールは、正極及び負極の電極端子を有する蓄電素子を複数個並べてなる蓄電素子群に取り付けられる配線モジュールであって、隣り合う前記蓄電素子の前記電極端子間を電気的に接続する極間接続部材と、直列接続の端部に位置する前記電極端子に接続される端部接続部材と、前記極間接続部材及び前記端部接続部材を収容する絶縁プロテクタと、前記絶縁プロテクタを覆う絶縁カバーと、を備え、前記絶縁カバーは、前記極間接続部材を覆う第１閉鎖位置と前記極間接続部材を露出させる第１開放位置との間を変位可能な第１カバー部と、前記第１カバー部に接続され、前記第１カバー部を前記第１閉鎖位置として、前記端部接続部材を覆う第２閉鎖位置と前記端部接続部材を露出させる第２開放位置との間を回動可能な第２カバー部と、を備え、前記第１カバー部は、係合部を備えるとともに、前記第２カバー部は、前記係合部に係合して前記第１カバー部に対する前記第２カバー部の位置を保持する被係合部を備えている。
【０００８】
本構成によれば、第２カバー部の被係合部を第１カバー部の係合部に係合させることで、直列接続の端部の電極端子の接続作業を行う際に、第１カバー部に対する第２カバー部の位置を保持することができる。よって、直列接続の端部の電極端子の接続作業を容易にすることが可能になる。
【０００９】
上記構成に加えて以下の構成を備えれば好ましい。
・前記絶縁プロテクタと前記第１カバー部とを接続する撓み変形可能な撓み部を備える。
このようにすれば、絶縁プロテクタと絶縁カバーを別体とする場合と比較して絶縁カバーの取り付け作業を行わなくてもよいから、電極端子の接続作業の作業性を向上させることができる。
【００１０】
・前記端部接続部材は、前記電極端子に接続される電極接続部と外部と接続される外部接続部とを備え、前記絶縁カバーは、前記外部接続部を外部と絶縁する絶縁壁を備え、前記絶縁壁に前記係止部が形成されており、前記被係止部は、前記係止部に当接して弾性変形する弾性部を備え、前記第２カバー部は、前記被係止部が前記係止部に当接した際に前記絶縁壁を前記被係止部とは反対側から押さえる押さえ部を備えている。
このようにすれば、絶縁壁を押さえ部が押さえることで、被係止部が係止部に当接した際の絶縁壁の変形を抑制することができる。
【００１１】
・前記第２カバー部は、前記第１カバー部の先端側に接続されている。
このようにすれば、このようにすれば、第２カバー部の開閉作業を局所的に行うことが可能になるため、外部からの塵等の進入を抑制することができるとともに、第２カバー部５７の開閉作業を容易にかつ安全に行うことができる。
【００１２】
・前記蓄電素子群と、前記蓄電素子群に取り付けられる前記配線モジュールと、を備える蓄電モジュールとする。
【発明の効果】
【００１３】
本明細書によって開示される技術によれば、電極端子間の接続作業、及び、直列接続の端部の電極端子の接続作業を容易にすることが可能になる。
【図面の簡単な説明】
【００１４】
【図１】実施形態１の蓄電モジュールを示す平面図
【図２】第１カバー部を第１閉鎖位置とし、第２カバー部を第２閉鎖位置とした配線モジュールを示す平面図
【図３】第１カバー部を第１閉鎖位置とし、第２カバー部を第２閉鎖位置とした配線モジュールを示す側面図
【図４】図２のＡ−Ａ断面図
【図５】図３のＢ−Ｂ断面図
【図６】第１カバー部を第１閉鎖位置とし、第２カバー部を第２開放位置とした配線モジュールを示す平面図
【図７】第１カバー部を第１閉鎖位置とし、第２カバー部を第２開放位置とした配線モジュールを示す側面図
【図８】第１カバー部を第１閉鎖位置とし、第２カバー部を第２開放位置とした配線モジュールを示す背面図
【図９】第１カバー部を第１開放位置とし、第２カバー部を第２閉鎖位置とした配線モジュールを示す平面図
【図１０】第１カバー部を第１開放位置とし、第２カバー部を第２閉鎖位置とした配線モジュールを示す側面図
【図１１】第１カバー部を第１開放位置とし、第２カバー部を第２開放位置とした配線モジュールを示す平面図
【図１２】第１カバー部を第１開放位置とし、第２カバー部を第２開放位置とした配線モジュールを示す側面図
【図１３】第１カバー部を第１開放位置とし、第２カバー部を第２閉鎖位置とした配線モジュールを装着した蓄電モジュールを示す平面図
【図１４】第１カバー部を第１閉鎖位置とし、第２カバー部を第２閉鎖位置とした配線モジュールを装着した蓄電モジュールを示す平面図
【図１５】第１カバー部を第１閉鎖位置とし、第２カバー部を第２開放位置とした配線モジュールを装着した蓄電モジュールを示す平面図
【発明を実施するための形態】
【００１５】
＜実施形態１＞
以下、本発明の実施形態１を図１〜図１５を参照しつつ説明する。
本実施形態の蓄電モジュール１０は、電気自動車又はハイブリッド自動車等の車両（図示せず）に搭載されて、車両を駆動するための電源として使用される。以下では、前後方向については、図１の上方を前方、下方を後方とし、左右方向については、図１の方向を基準とし、上下方向については、図３の方向を基準として説明する。
【００１６】
（蓄電モジュール１０）
蓄電モジュール１０は、図１に示すように、蓄電素子１２を複数並べてなる蓄電素子群１１と、蓄電素子群１１の上面に取り付けられる配線モジュール２０とを備えている。なお、図１等では、蓄電モジュール１０の一部である左端側を図示しており、蓄電モジュール１０の右端側は省略している。
【００１７】
複数の蓄電素子１２は扁平な略直方体形状をなし、内部に図示しない蓄電要素が収容されている。蓄電素子１２の上面には、電極端子１３Ａ，１３Ｂ（正極を１３Ａ，負極を１３Ｂとして図示）が上方に突出している。各蓄電素子１２の向きは、隣り合う電極端子１３Ａ，１３Ｂの極性が反対になるように配置されている。そして、これら蓄電素子群１１は図示しない保持板によって固定されている。
【００１８】
（配線モジュール２０）
配線モジュール２０は、左右に隣り合う電極端子１３Ａ，１３Ｂ間を接続する複数の極間接続部材２１と、直列接続の端部に位置する電極端子１３Ａ（１３Ｂ）と接続される２個の端部接続部材２３（左端側のみ図示し、右端側にも端部接続部材２３が電極端子１３Ｂと接続されているが図示は省略する）と、極間接続部材２１及び端部接続部材２３を内部に収容する収容部材３３とを備えて構成されている。
【００１９】
（極間接続部材２１）
極間接続部材２１は、銅、銅合金、アルミニウム、アルミニウム合金、ステンレス鋼（ＳＵＳ）等の板状の金属からなり、棒状の電極端子１３Ａ，１３Ｂ（電極端子がナット状である場合にはボルトの軸部）が挿通される通し孔２２が左右一対貫通形成されている。通し孔２２は、左右方向に長い長円形状をなす。極間接続部材２１には、蓄電素子１２の電圧を検知するための電圧検知端子２９が重ねられている。
【００２０】
（端部接続部材２３）
端部接続部材２３は、銅、銅合金、アルミニウム、アルミニウム合金、ステンレス鋼（ＳＵＳ）等の板状の金属からなり、電極端子１３Ａ（１３Ｂ）に接続される板状の電極接続部２４と、外部と接続される外部接続部２６とを備えている。
電極接続部２４は、長方形状であって、棒状の電極端子１３Ａ，１３Ｂ（電極端子がナット状である場合にはボルトの軸部）が挿通される１個の円形状の通し孔２４Ａを備えている。電極接続部２４には、電圧検知端子２９が重ねられている。
【００２１】
外部接続部２６は、電極接続部２４の周縁部から電極接続部２４と直交する方向に立ち上がる立壁２７と、立壁２７の板面と直交する方向に立ち上がる円柱状のスタッドボルト２８とを備えている。
立壁２７には、円形状の通し穴２７Ａが貫通形成されている。スタッドボルト２８は、外部のインバータ等の機器に接続された電線の端末部の端子等を接続可能であって、円柱状であって、先端側が段差状に先細となっており、基端側に鍔状に張り出す鍔部２８Ａが形成されている。スタッドボルト２８は、立壁２７の通し穴２７Ａに通されて、例えば、圧入や溶接等により、立壁２７に固定される。
【００２２】
（電圧検知端子２９）
電圧検知端子２９は、極間接続部材２１や端部接続部材２３に重ねられて締結される締結部３０と、極間接続部材２１や端部接続部材２３に重ならない領域に導出される導出部３１とを備えている。導出部３１は、絶縁プロテクタ３４の位置決め部３９に嵌め入れられて位置決めされており、電圧検知用電線Ｗが圧着等により接続されている。電圧検知用電線Ｗは、図示しない外部のＥＣＵ（Engine Control Unit）に接続される。ＥＣＵは、マイクロコンピュータ、素子等が搭載されたものであって、蓄電素子１２の電圧・電流・温度等の検知、各蓄電素子１２の充放電コントロール等を行うための機能を備えた周知の構成のものである。
【００２３】
（収容部材３３）
収容部材３３は、絶縁性の合成樹脂製の扁平な箱形であって、極間接続部材２１及び端部接続部材２３が収容される絶縁プロテクタ３４と、絶縁プロテクタ３４を覆う絶縁カバー４７と、絶縁プロテクタ３４と絶縁カバー４７とを連結する撓み部３３Ａとを備えている。撓み部３３Ａは、左右方向の複数個所に所定間隔ごとに設けられており、薄肉の帯状をなす。その厚みの薄さにより撓み変形可能とされている。
【００２４】
（絶縁プロテクタ３４）
絶縁プロテクタ３４は、左右方向に長い長方形状であって、極間接続部材２１及び端部接続部材２３を収容する複数の収容部３５と、前後の収容部３５間を連結する連結部４２とが一体に形成されている。収容部３５は、絶縁プロテクタ３４の前端部と後端部のそれぞれに左右方向に並んで配されている。前端側の収容部３５の列と後端側の収容部３５の列は、左右方向の位置がずらして配置されている。これにより、前端側に配されて端部接続部材２３が収容される収容部３５Ａは、その左右方向（極間接続部材２１の接続方向）の略半分が絶縁プロテクタ３４の側面３４Ａから側方に突き出た突出部４６を有している。
【００２５】
各収容部３５は、図４，図５に示すように、極間接続部材２１及び端部接続部材２３が載置される底板３６と、極間接続部材２１及び端部接続部材２３を包囲する角筒状の収容壁３７とを備えている。底板３６には、電極端子１３Ａ，１３Ｂが進入する部分に開口部３６Ａが形成されている。
【００２６】
収容壁３７は、工具等が極間接続部材２１や端部接続部材２３や締結部材に接触して短絡することを防止できる高さに設定されている。収容壁３７の内面には、極間接続部材２１及び端部接続部材２３の離脱を規制する離脱規制片３８が撓み変形可能に設けられている。離脱規制片３８は、収容壁３７をコ字状に切欠いて形成しており、爪状の先端部が極間接続部材２１や端部接続部材２３の上方に位置することで、極間接続部材２１や端部接続部材２３の離脱を規制する。
【００２７】
収容壁３７には、電圧検知端子２９が導出される部分が張り出した位置決め部３９が形成されている（図１参照）。位置決め部３９は、電圧検知端子２９の導出部３１を内側に嵌め入れて位置決めするものであり、電圧検知用電線Ｗが導出される部分が開口している。
端部接続部材２３が収容される収容部３５Ａは、図５に示すように、収容壁３７が内側から突出する一対の凸部４０が形成されている。一対の凸部４０は、外部接続部２６の立壁２７の背面に当接して外部接続部２６を後方から保持するとともに、一対の凸部４０の間にスタッドボルト２８の鍔部２８Ａが配される。
【００２８】
絶縁プロテクタ３４の前端面には、図１，図２に示すように、絶縁カバー４７を閉鎖状態に保持する係止部４１が形成されている。係止部４１は、下端が段差状に突出し、上方側が傾斜状に突出寸法が小さくなる形状をなす。連結部４２には、その中間部に左右方向に延びる電線通し溝４３が形成されている。電線通し溝４３の一方の溝壁の上端部には、電線を電線通し溝４３内に保持するための帯状の保持片４４の基端部が連なっている。保持片４４の先端部は他方の溝壁に形成された長円形状の係止孔４５の孔縁に係止する。
【００２９】
（絶縁カバー４７）
絶縁カバー４７は、絶縁性の合成樹脂からなり、図６，図７に示すように、絶縁プロテクタ３４に対して開閉可能な第１カバー部４８と、第１カバー部４８の角部に連なって開閉可能な第２カバー部５７と、第１カバー部４８と第２カバー部５７とを連結するヒンジ部５９とを備えている。
【００３０】
（第１カバー部４８）
第１カバー部４８は、左右方向に長い長方形状であって、極間接続部材２１をを覆う第１閉鎖位置（図７の位置）と極間接続部材２１を露出させる第１開放位置（図１２の位置）とに撓み部３３Ａを軸として回動可能となっており、第１カバー本体４９と、端部接続部材２３を覆う位置に配される箱形の端部カバー部５３と備えている。
【００３１】
第１閉鎖位置は、第１カバー部４８が絶縁プロテクタ３４における突出部４６以外の全体を覆う位置であり、第１開放位置は、極間接続部材２１や端部接続部材２３の電極接続部２４についての作業を行うことができる程度に絶縁プロテクタ３４の上面を開放する角度まで第１カバー部４８を回動させた位置である。
【００３２】
第１カバー本体４９は、長方形状の板状であって、絶縁プロテクタ３４における突出部４６以外の全体を覆うものである。第１カバー本体４９には、電線通し溝４３の上方側が絶縁プロテクタ３４側に窪んだ窪み部５０が形成されている。第１カバー部４８の先端部には、絶縁プロテクタ３４の係止部４１に係止して第１カバー部４８を第１閉鎖位置に保持する被係止部５１が形成されている。
【００３３】
被係止部５１は、貫通孔５１Ａを有する撓み変形可能な枠状であって、係止部４１の段差部分が貫通孔５１Ａの孔縁に係止して第１カバー部４８を絶縁プロテクタ３４を覆う第１閉鎖位置に保持する。端部カバー部５３は、図５，図６，図７に示すように、突出部４６（収容部３５Ａにおける外部接続部２６が配される部分）を覆う大きさで形成されており、第１カバー本体４９の縁部から起立する起立壁５４（「絶縁壁」の一例）と、起立壁５４に直交する方向に延びる長方形状の天井壁５６とを備える。
【００３４】
起立壁５４は、長方形状であって、外部接続部２６の電極接続部２４側を覆っている。起立壁５４には、第２カバー部５７を第２開放位置に保持するための係合部５５が形成されている。係合部５５は、起立壁５４の前端から起立壁５４の壁面に沿って突出する突片５４Ａの先端部に形成されており、段差状に電極接続部２４側の側方に突出し、先端側に向けて突出寸法が小さくなる形状をなす。
撓み部３３Ａは帯状であって、左右方向に複数設けられ、薄肉の厚みにより撓み変形可能とされている。
【００３５】
（第２カバー部５７）
第２カバー部５７は、天井壁５６に薄肉の厚みにより弾性変形可能とされたヒンジ部５９を介して連結され、第１カバー部４８を第１開放位置として、端部接続部材２３を覆う第２閉鎖位置（図３の位置）と端部接続部材２３を露出させる第２開放位置（図７の位置）とに回動可能となっており、図５，図７に示すように、板状の第２カバー本体５８と、被係合部６１とを備えている。
【００３６】
第２カバー本体５８は、外部接続部２６の前方を覆う長方形状であって、電極接続部２４側に所定の角度で曲がった曲げ部５８Ａを有する。曲げ部５８Ａの先端部は、第２カバー部５７の回動の際に第２閉鎖位置の手前から第２閉鎖位置にかけて起立壁５４を押さえる押さえ部５８Ｂとされている。
【００３７】
被係合部６１は、第２カバー本体５８に連なり、係合部５５に当接して弾性変形する弾性部６２と、作業者が掴む一対の掴み部６５とを備えている。弾性部６２は、Ｕ字状に形成されているとともに、係合部５５に係止する被係合凸部６３を備えている。被係合凸部６３は、段差状に突出し、傾斜状に突出寸法が小さくなる形状をなす。一対の掴み部６５は弾性部６２の前方（開放側）に連なっており、傾斜状に切り欠かれた切欠部６５Ａを有する。
【００３８】
第２カバー部５７を第２開放位置から第２閉鎖位置に回動させると、被係合凸部６３が係合部５５に当接して弾性部６２が弾性変形する。このとき、起立壁５４の反対側の面に押さえ部５８Ｂが摺接して起立壁５４の反対側の面を押さえる（図５参照）。一方、第２カバー部５７を第２閉鎖位置から第２開放位置に回動する場合には、掴み部６５を外方側に引いて、被係合凸部６３の係合部５５への係止を解除することで、ヒンジ部５９の弾性力（弾性復元力）により第２カバー部５７が第２開放位置まで回動する。
【００３９】
なお、第１カバー部４８が第１閉鎖位置にあれば、第２カバー部５７が第２開放位置と第２閉鎖位置のいずれの位置であっても、外部接続部２６の電極接続部２４側とは反対側の側方には開口部６４が形成されており、外部接続部２６はこの開口部６４により側方側に露出しており、開口部６４から外部の電線等（図示しない）が導出される。
【００４０】
次に、蓄電モジュール１０の組み付けについて説明する。
収容部材３３の第１カバー部４８を第１開放位置とし、第２カバー部５７を第２閉鎖位置又は第２開放位置として、各収容部３５に極間接続部材２１及び端部接続部材２３を収容する（図９，図１１）。また、電圧検知用電線Ｗの端末部に接続された電圧検知端子２９を極間接続部材２１及び端部接続部材２３に重ねて位置決め部３９に位置決めする。そして、第１カバー部４８を回動して第１閉鎖位置とし、第２カバー部５７を第２閉鎖位置とする。これにより、配線モジュール２０が形成される（図２）。
【００４１】
この配線モジュール２０を蓄電素子群１１に装着する場合には、第１カバー部４８を回動して第１開放位置として蓄電素子群１１の所定位置に載置し、極間接続部材２１及び端部接続部材２３を貫通した電極端子１３Ａ，１３Ｂに図示しない締結部材としてのボルト又はナットで極間接続部材２１及び端部接続部材２３を締結する（図１３）。そして、第１カバー部４８を回動して第１閉鎖位置とすることで、蓄電モジュール１０が形成される（図１４）。
【００４２】
次に蓄電モジュール１０を車両の所定の位置に収容する。そして、第２カバー部５７を第２開放位置に回動させる（図１５）。端部接続部材２３の外部接続部２６に外部のインバータ等の装置に連なる電線の端末部を接続する。接続作業が完了すると、第２カバー部５７を第２閉鎖位置に回動させる（図１４）。
【００４３】
本実施形態によれば、以下の作用、効果を奏する。
配線モジュール２０は、正極及び負極の電極端子１３Ａ，１３Ｂを有する蓄電素子１２を複数個並べてなる蓄電素子群１１に取り付けられる配線モジュール２０であって、隣り合う蓄電素子１２の電極端子１３Ａ，１３Ｂ間を電気的に接続する極間接続部材２１と、直列接続の端部に位置する電極端子１３Ａ，１３Ｂに接続される端部接続部材２３と、極間接続部材２１及び端部接続部材２３を収容する絶縁プロテクタ３４と、絶縁プロテクタ３４を覆う絶縁カバー４７と、を備え、絶縁カバー４７は、極間接続部材２１を覆う第１閉鎖位置と極間接続部材２１を露出させる第１開放位置との間を変位可能な第１カバー部４８と、第１カバー部４８に接続され、第１カバー部４８を第１閉鎖位置として、端部接続部材２３を覆う第２閉鎖位置と端部接続部材２３を露出させる第２開放位置との間を回動可能な第２カバー部５７と、を備え、第１カバー部４８は、係合部５５を備えるとともに、第２カバー部５７は、係合部５５に係合して第１カバー部４８に対する第２カバー部５７の位置を保持する被係合部６１を備えている。
【００４４】
本実施形態によれば、第２カバー部５７の被係合部６１を第１カバー部４８の係合部５５に係合させることで、直列接続の端部の電極端子１３Ａ，１３Ｂの接続作業を行う際に、第１カバー部４８に対する第２カバー部５７の位置を保持することができる。よって、直列接続の端部の電極端子１３Ａ，１３Ｂの接続作業を容易にすることが可能になる。
【００４５】
また、絶縁プロテクタ３４と第１カバー部４８とを接続する撓み変形可能な撓み部３３Ａを備える。
このようにすれば、絶縁プロテクタと絶縁カバーを別体とする場合と比較して絶縁カバーの取り付け作業を行わなくてもよいから、電極端子１３Ａ，１３Ｂの接続作業の作業性を向上させることができる。
【００４６】
さらに、端部接続部材２３は、電極端子１３Ａ，１３Ｂに接続される電極接続部２４と外部と接続される外部接続部２６とを備え、絶縁カバー４７は、外部接続部２６を外部と絶縁する起立壁５４（絶縁壁）を備え、起立壁５４に係合部５５が形成されており、被係合部６１は、係合部５５に当接して弾性変形する弾性部６２を備え、第２カバー部５７は、被係合部６１が係合部５５に当接した際に起立壁５４を被係合部６１とは反対側から押さえる押さえ部５８Ｂを備えている。
このようにすれば、起立壁５４を押さえ部５８Ｂが押さえることで、被係合部６１が係合部５５に当接した際の起立壁５４の変形を抑制することができる。
【００４７】
また、第２カバー部５７は、第１カバー部４８の先端側（撓み部３３Ａとは反対側の端部側）に接続されている。
このようにすれば、第２カバー部５７の開閉作業を局所的に行うことができるため、外部からの塵等の進入を抑制することができるとともに、第２カバー部５７の開閉作業を容易にかつ安全に行うことができる。
【００４８】
＜他の実施形態＞
本発明は上記記述及び図面によって説明した実施形態に限定されるものではなく、例えば次のような実施形態も本発明の技術的範囲に含まれる。
（１）上記実施形態では、絶縁プロテクタ３４に対して第１カバー部４８がほぼ１８０度の角度を有する位置が第１開放位置とされているが、これに限られず、作業者が極間接続部材２１についての作業を行うことができる程度に第１カバー部４８が回動された位置でもよい。また、第２開放位置は、第２カバー部５７が端部カバー部５３の前面開口に対して９０度回動された位置としたが、これに限られず、作業者が端部接続部材２３についての作業を行うことができる程度に第２カバー部５７が回動された位置でもよい。
【００４９】
（２）第２カバー部５７は、被係合部６１が係合部５５に係止されることで外部接続部２６の前方を覆う第２閉鎖位置に保持されていたが、これに限られない。例えば、第２カバー部５７を第２開放位置に保持するための係合部や被係合部を設けて第２カバー部５７を第２開放位置に保持してもよい。この場合、ヒンジ部の弾性力で第２開放位置から第２閉鎖位置に回動するようにヒンジを構成してもよい。また、ヒンジ部５９の弾性力で第２カバー部５７が開放することとしたが、これに限られず、ヒンジ部５９の弾性力を第２カバー部５７の開閉に用いない構成としてもよい。
【００５０】
（３）蓄電モジュール１０を構成する蓄電素子１２の数については、任意の数とすることができ、配線モジュール２０の大きさも蓄電素子１２の数に応じて適宜設定することができる。
（４）蓄電素子１２は電池としたが、これに限られず、キャパシタ等であってもよい。
【符号の説明】
【００５１】
１０：  蓄電モジュール
１１：  蓄電素子群
１２：  蓄電素子
１３Ａ，１３Ｂ：  電極端子
２０：  配線モジュール
２１：  極間接続部材
２３：  端部接続部材
２４：  電極接続部
２６：  外部接続部
３３：  収容部材
３４：  絶縁プロテクタ
３５（３５Ａ）：  収容部
４７：  絶縁カバー
４８：  第１カバー部
５１：  被係止部
５３：  端部カバー部
５４：  起立壁（絶縁壁）
５５：  係合部
５７：  第２カバー部
５８Ｂ：  押さえ部
５９：  ヒンジ部
６１：  被係合部
６２：  弾性部
６３：  被係合凸部
【図１】
2015153618.tif 000003
【図２】
2015153618.tif 000004
【図３】
2015153618.tif 000005
【図４】
2015153618.tif 000006
【図５】
2015153618.tif 000007
【図６】
2015153618.tif 000008
【図７】
2015153618.tif 000009
【図８】
2015153618.tif 000010
【図９】
2015153618.tif 000011
【図１０】
2015153618.tif 000012
【図１１】
2015153618.tif 000013
【図１２】
2015153618.tif 000014
【図１３】
2015153618.tif 000015
【図１４】
2015153618.tif 000016
【図１５】
2015153618.tif 000017